(57)【特許請求の範囲】
【請求項１】
座式の便器本体の前方に、座した使用者の太腿の間にあって下腹部を前方から見えない様に覆う形で放尿を受ける前カバーを備え、
前記前カバーの上面に平坦面を備え、
前記前カバーの内面を含む便器の前方の内面に、略水平に発射した放尿軌道上にあって尿勢を放物線状に下前方へ誘導する誘導面を備え、
前記前カバーの前記平坦面の上に、着脱自在に重ね得る上面を平坦面とした補助台を単数又は複数重ねて備え、前記前カバーの上部と補助台の下部との関係、又は重ね合わされる複数の補助台相互の関係で、相互に嵌まり合う構造を備えた着座式便器。
【請求項２】
座式の便器本体の前方に、座した使用者の太腿の間にあって下腹部を前方から見えない様に覆う形で放尿を受ける前カバーを備え、
前記前カバーの上面に平坦面を備え、
前記前カバーの内面を含む便器の前方の内面に、略水平に発射した放尿軌道上にあって尿勢を放物線状に下前方へ誘導する誘導面を備え、
前記前カバーの上部内面に、略水平に発射した放尿を前記誘導面に沿って下前方へ誘導する放水手段を備えると共に、着座により放水を開始し便器から立つことによって放水を終了する放水管理手段を備えた着座式便器。
【請求項３】
座式の便器本体の前方に、座した使用者の太腿の間にあって下腹部を前方から見えない様に覆う形で放尿を受ける前カバーを備え、
前記前カバーの上面に平坦面を備え、
前記前カバーの内面を含む便器の前方の内面に、略水平に発射した放尿軌道上にあって尿勢を放物線状に下前方へ誘導する誘導面を備え、
前記前カバーの前記平坦面の上に、着脱自在に重ね得る上面を平坦面とした補助台を単数又は複数重ねて備え、前記前カバーの上部と補助台の下部との関係、又は重ね合わされる複数の補助台相互の関係で、相互に嵌まり合う構造を備え、
前記前カバーの上部内面に、略水平に発射した放尿を前記誘導面に沿って下前方へ誘導する放水手段を備えると共に、着座により放水を開始し便器から立つことによって放水を終了する放水管理手段を備えた着座式便器。
【請求項４】
座式の便器本体と、当該本体のリム部状に載置される略馬蹄状の便座とで構成され、
前記便座の前方に、その起伏に際して当該前カバーとの抵触を回避する為の切欠部を備える前記請求項１乃至請求項３のいずれかに記載の着座式便器。
【発明の詳細な説明】
【技術分野】
【０００１】
本発明は、着座式便器に関し、特に着座時前方に位置する便器の形状に関する。
【背景技術】
【０００２】
男性による着座式便器の使用に際しては、尿が便器外に飛散すると言う問題が従来からうったえられており、その問題に対しては、下記の通り多数の便器を用いることが紹介されている。
【０００３】
【特許文献１】特開２０００−２０４６３１号公報
【特許文献２】実用新案登録第３０９６４１７号公報
【特許文献３】特開２０００−２３０２６８号公報
【特許文献４】特開２００６−１４９４７７号公報
【特許文献５】特開２００７−７０９９５号公報
【発明の開示】
【発明が解決しようとする課題】
【０００４】
しかしながら、上記いずれの手法にあっても尿の撥ね返りによる不衛生さを解消できないと言う問題があった。
【０００５】
本発明は、上記実情に鑑みてなされたものであって、便器に衝突した尿の撥ねる先が、使用者に向かない様に制限し得る便器の提供を目的とする。
【課題を解決するための手段】
【０００６】
上記課題を解決する為になされた本発明による着座式便器は、座式の便器本体の前方に、座した使用者の太腿の間にあって下腹部を前方から見えない様に覆う形で放尿を受ける前カバーを備え、前記前カバーの上面に平坦面を備えることを特徴とする。
【０００７】
前記便器本体と、当該本体のリム部状に載置される略馬蹄状の便座とで構成され、前記便座の前方に、その起伏に際して当該前カバーとの抵触を回避する為の切欠部を備える構成、前記前カバーの内面を含む便器の前方の内面に、略水平に発射した放尿軌道上にあって尿勢を放物線状に下前方へ誘導する誘導面（曲面でも良いし、平面が連結したものであっても良い。）を備える構成、又は前記前カバーの上部内面に、略水平に発射した放尿を前記誘導面に沿って下前方へ誘導する放水（散水）手段を備える構成を採っても良い。
【発明の効果】
【０００８】
座した使用者の太腿の間にあって下腹部を前方から見えない様に覆う形で放尿を受ける前カバーを備える構造を採ることによって、男性による着座式便器の使用に際しても、尿が便器外に飛散すると言う問題が解消される。
【０００９】
また、前カバーの上面に平坦面を備えることによって、便座から起立する際の手掛かりとなる他、小冊子や小物（タバコ、化粧品、或いはメガネ、又は血圧測定器や体温計等の医療器具等）を置き、或いは支える台として用いることもできる。
【００１０】
更に、前カバーの内面を含む便器の前方の内面に方物面を備える構成、又は前記前カバーの上部内面に略水平に発射した放尿を下前方へ誘導する放水手段を備える構成によって、便器に衝突した尿の撥ねる先が、使用者に向かない様に制限し得ることとなる。殊に、両者を併せ持つ構造を採用すれば、使用者に向けて汚れを飛散させることなく、前記前カバー内面の汚れを回避する逐次洗浄効果も奏することとなる。
【発明を実施するための最良の形態】
【００１１】
以下、本発明による着座式便器の実施の形態を図面に基づき説明する。
図に示す例は、座式の便器本体１と、当該便器本体１のリム部状に載置される便座２と、当該便器本体１並びに便座２の上に重ねて便器本体１の開口部を閉じる蓋３とで構成される。
【００１２】
前記便器本体１は、その前方に、座した使用者の太腿の間にあって、下腹部を前方から見えない様に覆う形で放尿を受ける前カバー４を備えると共に、前記前カバーの上面に平坦面を備えるものである。前記平坦面１３の平面形状は、方形、楕円形、或いは扇形等、特に限定するものではないが、手を突きやすく、手掛かりとなりやすい形状や大きさを選択することが望ましい。また、平坦面１３には滑り止めを施しても良い。
【００１３】
前記前カバー４の高さ及び幅は、尿を受ける観点からは、できるだけ高く広い方が望ましいが、使用上の観点からは、背の低い使用者にあっても、当該前カバー４を跨いで着座する際の妨げとならない範囲で選択することが必要となる。また、使用者の体格に応じて平坦面１３の高さを調整出来る様に、前記前カバー４の前記平坦面１３の上に、着脱自在に重ね得る上面を平坦面１３とした約３ｃｍから約５ｃｍの高さの補助台（図示省略）を、単数又は複数重ねて乗せ得る構成を採っても良い。その際、使用者の手が係ってもズレたり外れたりしないように、前記前カバー４の上部と補助台の下部との関係で、或いは重ね合わされる複数の補助台相互の関係で、相互に嵌まり合う構造が採用され、ビス止めが施され、又はロック手段等が付設された連結部を設けることが望ましい。
【００１４】
前記前カバー４の内面を含む便器本体１の前方の内面は、当該前カバー４の表面に習った形状でも良いが、略水平に発射した放尿軌道上にあって尿勢を放物線状に下前方へ誘導する誘導面５を備えるものであっても良い。前記誘導面５としては、放出された尿の平均的な勢い、及び当該誘導面５に反射された尿の勢いを考慮して、各々の当該誘導面５に対する入射角度（誘導面５の法線と入射線とで形成される角度）と反射角度（誘導面５の法線と反射線とで形成される角度）とを加えた角度が鈍角となる様に向きが定められたものが望ましく、連続した曲面でも良いし、複数の平面が連結したものであっても良い。
【００１５】
図４に示す前記前カバー４の上部内面には、略水平に発射した放尿を前記誘導面５に沿って下前方へ誘導する放水（散水）手段６を備える。当該放水手段６は、前記前カバー４の使用者側の縁部内面に膨出縁７を設け、当該膨出縁７の内側に散水孔８を点在させたものである。当該当該放水手段６から放出される水の誘導面５に対する入射角は、放出された水、及び前記誘導面５で反射された水の各々の当該誘導面に対する入射角度と反射角度とを加えた角度が鈍角となる様に定められることが望ましい。
【００１６】
当該放水手段６によって、尿の使用者側への反射が抑制される他、前カバー４の裏面の洗浄にも寄与することとなる。また、前記膨出縁７の存在によって、尿や水の流れる領域を制限することとなる。また、着座式便器に使用者の有無を検知するセンサ９を備えることにより、着座により放水を開始し、便器から立つことによって放水を終了するといった放水管理手段を設けることもできる。
【００１７】
前記便座２は、その前方に、その起伏に際して当該前カバーとの抵触を回避する為の切欠部１１を備えている。一方、前記蓋３は、その前方に、その起伏に際して前記前カバーを被う被い１０を備えている。
【００１８】
前記放水手段６を、散水孔８を備えたノズル１２とし、又は前記放水手段６と併用することも可能である。用便後においてジョグシャトル等（図示省略）の所定の操作により当該ノズル１２の放水方向を変えるモータ等のアクチュエータを具備したノズル可動手段を設ければ男性用ビデとすることができる。
【産業上の利用可能性】
【００１９】
上記着座式便座は、ただ腰掛けるだけで放出された尿が便器から外れることを回避できるので、高齢者或いは四肢や腰の疾患を持つ使用者が身体を屈める等の動きを以って放尿方向を規制する必要がなく、種々の老人・介護施設や医療機関に広く使用することができる。
【図面の簡単な説明】
【００２０】
【図１】本発明による着座式便器の使用態様の一例を示す側面図である。
【図２】本発明による着座式便器の一例を示す平面図である。
【図３】本発明による着座式便器の一例を示す正面図である。
【図４】本発明による着座式便器の一例を示す要部断面図である。
【符号の説明】
【００２１】
１  便器本体，２  便座，３  蓋，４  前カバー，５  誘導面，６  放水手段，
７  膨出縁，８  散水孔，９  センサ，１０  被い，１１  切欠部，１２  ノズル，
１３  平坦面，
【図１】
0004585555.tif 000002
【図２】
0004585555.tif 000003
【図３】
0004585555.tif 000004
【図４】
0004585555.tif 000005